(57)【要約】【課題】天井等に設置する空気調和機において、熱交換器等に付着する結露水のドレンパンの外への滴下を防止して水漏れを防止する空気調和機を提供する。【解決手段】内部に傾斜して配置される熱交換器４と、この熱交換器４に送風する送風機６と、前記熱交換器４の下端部に配置され熱交換器４からの結露水を受ける第１ドレンパン１１と、前記熱交換器４の下面を覆うように設けられ熱交換器４上部の結露水を受けるとともに、この結露水を第１ドレンパン１１に排出する第２ドレンパン７とを備え、室内の天井等に設置される空気調和機において、前記第２ドレンパン７の側板９から上に立ち上げ、前記熱交換器４の側方を覆うようにシート板２４を設けた。【選択図】　　　図１
2004020078.tif 000002
【特許請求の範囲】
【請求項１】
内部に傾斜して配置される熱交換器と、この熱交換器に送風する送風機と、前記熱交換器の下面を覆うように設けられ熱交換器の結露水を受ける第２ドレンパンとを備え、室内の天井等に設置される空気調和機において、
前記第２ドレンパンの側板から上に立ち上げ、前記熱交換器の側方を覆うようにシート板を設けたことを特徴とする空気調和機。
【請求項２】
前記熱交換器からの結露水を受けるとともに、第２ドレンパンから流出する水を受ける第１ドレンパンを前記熱交換器の下端部に設けたことを特徴とする請求項１に記載の空気調和機。
【請求項３】
前記シート板は柔軟性のある材質で作られることを特徴とする請求項１または２に記載の空気調和機。
【請求項４】
前記シート板は第２ドレンパンの側板内側に接着されることを特徴とする請求項１〜３のいずれかに記載の空気調和機。
【請求項５】
前記シート板は熱交換器とこの熱交換器の側方にある部品とを仕切ることを特徴とする請求項１〜４のいずれかに記載の空気調和機。
【発明の詳細な説明】
【０００１】
【発明の属する技術分野】
本発明は空気調和機に関し、特に、室内の天井等に設置してこの室内の空調を行なうようにした空気調和機に関する。
【０００２】
【従来の技術】
従来、例えば天井裏に配設される本体と、この本体の下方に天井板の開口を設けこの開口を通して本体の底面に取り付けられる化粧パネルとを備えた天井埋込型空気調和機は知られている。
【０００３】
この種の空気調和機は、室外に設置した室外機と冷媒配管を介して接続される熱交換器及びこの熱交換器に送風する送風機がそれぞれ内蔵されており、前記化粧パネルは、空気調和機本体の下面を覆うとともに、室内空気の吸込口及び吹出口がそれぞれ形成されている。
【０００４】
そして、前記空気調和機を運転することにより送風機が作動し、化粧パネルの吸込口から室内空気を取り入れて前記熱交換器と熱交換を行い、熱交換後の空気が吹出口から室内に吹き出されることにより、室内を所望の温度に空調するようになっている。
【０００５】
ここで、冷房運転時には熱交換器に結露水が付着し滴下するため、熱交換器の下方には滴下する結露水を受け止めて室外に排出するドレンパンが設けられている。このため、このドレンパンは熱交換器の滴下する範囲よりやや大き目に作られている。
【０００６】
【発明が解決しようとする課題】
しかしながら、例えば図６に示すように、前記熱交換器５１の側方に、電装箱５２等の構成部品を配置することがある。この電装箱５２が配置されると、コンパクト設計のため、ドレンパン５３の電装箱側の位置と熱交換器５１の電装箱側の位置とが垂直面でほぼ同じ位置になってしまい、熱交換器５１の配管等に付着した結露水がドレンパン５３内部に滴下せず、ドレンパン５３の側板５４上に滴下し、側板５４の外面から化粧パネルの開口を通して空気調和機外部に滴下するおそれがあった。
【０００７】
本発明は、上述のような事情に鑑みなされたものであり、天井等に設置される空気調和機において、熱交換器等に付着する結露水の、ドレンパンの外への滴下を防止して水漏れを防止する空気調和機を提供することを目的とする。
【０００８】
【課題を解決するための手段】
上記目的を達成するために、請求項１に記載の発明は、内部に傾斜して配置される熱交換器と、この熱交換器に送風する送風機と、前記熱交換器の下面を覆うように設けられ熱交換器の結露水を受ける第２ドレンパンとを備え、室内の天井等に設置される空気調和機において、前記第２ドレンパンの側板から上に立ち上げ、前記熱交換器の側方を覆うようにシート板を設けたことを特徴とする。
【０００９】
請求項２に記載の発明は、請求項１に記載の空気調和機において、前記熱交換器からの結露水を受けるとともに、第２ドレンパンから流出する水を受ける第１ドレンパンを前記熱交換器の下端部に設けたことを特徴とする。
請求項３に記載の発明は、請求項１または２に記載の空気調和機において、前記シート板は柔軟性のある材質で作られることを特徴とする。
【００１０】
請求項４に記載の発明は、請求項１〜３のいずれかに記載の空気調和機において、前記シート板は第２ドレンパンの側板内側に接着されることを特徴とする。
【００１１】
請求項５に記載の発明は、請求項１〜４のいずれかに記載の空気調和機において、前記シート板は熱交換器とこの熱交換器の側方にある部品とを仕切ることを特徴とする。
【００１２】
【実施の実施の形態】
以下、本発明の一実施形態を図面に基づいて説明する。
【００１３】
図１は本発明の一実施形態における空気調和機を示す縦断面図、図２は熱交換器の平面図、図３は第２ドレンパンの斜視図である。
【００１４】
図１において、室内の天井板１の所定位置には、取付用開口２が形成されており、この取付用開口２の内側部分には、空気調和機本体３が取り付けられている。この空気調和機本体３の内部には、熱交換器４が３０゜〜４５゜程度の小さな傾斜角度で傾斜して配設されており、この熱交換器４の内部には、冷媒管５が図の直角方向に蛇行するように配設されている。この熱交換器４の両側面には、図２に示すように、外方に突出する複数のＵ字管５ａ、５ａ・・が接続され、一方の側面には、分流配管１６、電磁弁１７、作動時の冷媒音を消すためのマフラー１８、及び室外機へ接続するための２本の補助配管２１、２２等とが接続されている。そして、この熱交換器４には、冷媒圧縮機、四方弁、室外熱交換器及び減圧装置等が内蔵された図示しない室外機からの冷媒が流通するようになっている。
【００１５】
前記熱交換器４の一方の側方には、本体３とほぼ同じ縦寸法を有する電装箱２３が配置されており、この電装箱２３と熱交換器４の間にはわずかな隙間が設けられている。この隙間を設けることにより電装箱２３と熱交換器４の組立性を容易にしている。
【００１６】
また、この熱交換器４の上面側（空気の流出側）近傍には、図１に示すように、クロスフローファン等からなる送風機６が配設されており、熱交換器４の下面側（空気の吸込側）４ａには、格子状の開口を有する第２ドレンパン７が配設されている。
【００１７】
図１、図３において、前記第２ドレンパン７には、前記熱交換器４の横方向に延在する３枚の案内羽根８が配設されている。この第２ドレンパン７の両端部には、熱交換器４の縦方向に延在し前記案内羽根８を保持する側板９が連結されており、前記案内羽根８の上端部は、熱交換器４に吸込まれた空気が前記送風機６の下方に集中するように緩やかに傾斜されている。さらに、前記案内羽根８の下端部には、ほぼＶ字状に折曲形成されたドレン収容部１２が設けられている。このドレン収容部１２には熱交換器の表面に生じて滴下する結露水が集められ、集められた結露水はドレン水として下方に排出される。
【００１８】
前記熱交換器４の下端部の下方には、第１ドレンパン１１が配設されており、集められた水を室外に排出するドレンホース等の排出手段（図示せず）が設けられている。この第１ドレンパン１１には、熱交換器４からの滴下する結露水を集めるとともに、第２ドレンパン７に集められたドレン水が流れ込むようになっており、これらのドレン水を室外に排出する。
【００１９】
図４は熱交換器、第１ドレンパン１１及び第２ドレンパン７の配置を示す平面説明図である。図４において、第２ドレンパン７は、複数のＵ字管５ａを含む熱交換器４の下面一方側を覆うように配置され、第１ドレンパン１１は、熱交換器４の下面他方側、第２ドレンパン７の一部、分流配管１６及び補助配管２１、２２に接続される冷媒管を覆うように配設されている。これにより熱交換器４から滴下する結露水のほぼ全部を受け止めることができる。
【００２０】
また、前記第２ドレンパン７の補助配管２１、２２側には、図３及び図５に示すように、シート板２４が設けられている。このシート板２４は柔軟性のある樹脂等の材質で作られており、略五角形をしている。そして第２ドレンパン７の側板９から上に延在して側板９から本体３の天面までを仕切るように設けられている。シート板２４の下部は、第２ドレンパン７の側板９形状に合わせて形成され、側板９内側に接着して固定されている。これにより、熱交換器４とこの熱交換器４に隣接する部品（電装箱２３）とを隔離することができる。
【００２１】
前記天井板１部分には、前記空気調和機本体３及び第１ドレンパン１１部分を覆うように化粧パネル２５が配設されている。この化粧パネル２５の前記熱交換器４の下方位置には、室内空気の吸込口１３が形成されるとともに、前記化粧パネル２５の送風機６の下方位置には、熱交換後の空気の吹出口１４が形成されている。そして、この吹出口１４の一側には、風向板１５が回動自在に配設されている。
【００２２】
以上のように構成された空気調和機において、空気調和機を運転することにより、送風機６が作動される。化粧パネル２５の吸込口１３から室内空気が取り入れられて室内空気が熱交換器４と熱交換される。熱交換後の空気が送風機６により吹出口１４から室内に吹き出され、これにより、室内が所望の温度になるように空調される。
【００２３】
ここで、冷房運転時には、室内の熱交換器４が蒸発器として作用しこの熱交換器４が冷却される。このため熱交換器４には結露水が付着して滴下し、滴下した結露水が第１及び第２ドレンパン１１、７に受け止められる。第２ドレンパン７に集められたドレン水は第１ドレンパン１１に流れ、第１ドレンパン１１に滴下した結露水と一緒になつて室外に排出される。
【００２４】
次に、第２ドレンパンに設けられたシート板の作用について説明する。
【００２５】
前記熱交換器４の電装箱２３側の冷媒管には、電磁弁１７やマフラー１８等が接続されているため第２ドレンパン７の側板９より外側に少し膨らむことがある。第２ドレンパン７より外側の冷媒管等に付着した結露水は、第２ドレンパン７の外側に向かって落下するが、第２ドレンパン７の側板９にシート板２４を設けてあるので、滴下した結露水は、シート板２４の熱交換器４側に滴下し側面に沿って流れ落ち第２ドレンパン７内に流れ込む。
【００２６】
このように、第２ドレンパン７の側板９にシート板２４を設けているので、熱交換器４の電装箱２３側の冷媒管が多少外側に膨らんでいても、そこに付着した結露水はシート板２４に受け止められ第２ドレンパン７の外側に滴下することはない。
【００２７】
また、シート板２４は柔軟性があるので、熱交換器４と電装箱２３との間隔が狭い場合でも、第２ドレンパン７の組み付け作業に支障をきたすことはない。
【００２８】
また、シート板２４は柔軟性があるので、図４に示すように、熱交換器４と電装箱２３との間にコーナー部がある場合でも、シート板２４がその形状に沿って挿入されるので、組み付け作業に支障をきたさないばかりか、熱交換器４に付着した結露水をもれなく回収することができ、水漏れのおそれを少なくすることができる。
【００２９】
なお、本発明は本実施形態に限定されるものではなく、必要に応じて種々変更することが可能である。
【００３０】
また、本実施形態では、天井埋込型空気調和機で説明しているが、天井カセット型空気調和機や天吊り型空気調和機であっても良い。
【００３１】
また、本実施形態では、シート板２４は柔軟性のある樹脂等の材質で作られているが、水を通さない柔軟性のある材質のものであれば樹脂等に限定されるものではない。
【００３２】
また、本実施形態では、シート板２４を第２ドレンパン７の一方の側板９に設けているが、必要に応じて両方の側板に設けても良い。
【００３３】
【発明の効果】
以上述べたように本発明に係る空気調和機は、ドレンパンの上方、かつ熱交換器の側方に立ち上げてシート板を設けたので、ドレンパンの側面よりも外方に熱交換器の一部が突出していても、熱交換器から滴下する結露水をこのシート板で受け止めてドレンパン内に流れ込ませるようにし、水漏れのおそれを軽減することができる。
【００３４】
また、シート板を柔軟性のある材質で作られているので、熱交換器とこの熱交換器に隣接する部品との間のスペースが狭い場合でも、組み付け作業を難しくすることはない。
【図面の簡単な説明】
【図１】本発明の一実施形態における空気調和機を示す縦断面図である。
【図２】図１の熱交換器の平面図である。
【図３】図１の第２ドレンパンの斜視図である。
【図４】図１の熱交換器、第１ドレンパン及び第２ドレンパンの配置を示す平面説明図である。
【図５】図１の第２ドレンパンの側面図である。
【図６】従来の空気調和機内部の正面説明図である。
【符号の説明】
１　　　天井板
３　　　空気調和機本体
４　　　熱交換器
６　送風機
７　第２ドレンパン
９　側板
１１　第１ドレンパン
１２　ドレン収容部
１６　分流配管
１７　電磁弁
１８　マフラー
２１、２２　補助配管
２３　電装箱
２４　シート板
２５　化粧パネル
【図１】
2004020078.tif 000003
【図２】
2004020078.tif 000004
【図３】
2004020078.tif 000005
【図４】
2004020078.tif 000006
【図５】
2004020078.tif 000007
【図６】
2004020078.tif 000008